(57)【要約】【課題】タイマー調理や安全機能の実行等による自動的な調理終了によっても換気装置を連動して停止させ、消し忘れを防止して電力の節約も図る。【解決手段】コントローラは、操作ボタンを押し操作した後の安全弁への通電の開始に伴って赤外線ＬＥＤによって換気装置をＯＮする無線信号を送信させる（Ｓ１〜Ｓ３）一方、Ｓ９で自動消火の所定の条件を満たした際には、安全弁への通電の停止に伴って赤外線ＬＥＤによって換気装置をＯＦＦする無線信号を送信させる（Ｓ１０〜Ｓ１３）。【選択図】図６
2013053777.tif 000002
【特許請求の範囲】
【請求項１】
ガスバーナと、そのガスバーナへのガス供給路に設けられ、通電によって開弁保持される安全弁と、外部の換気装置をＯＮ／ＯＦＦするための無線信号を送信可能な信号発信器と、前記安全弁への通電及び前記信号発信器による無線信号の送信を制御する制御手段とを備えた加熱調理器であって、
前記制御手段は、前記安全弁への通電の開始に伴って前記信号発信器によって前記換気装置をＯＮする無線信号を送信させる一方、前記安全弁への通電の停止に伴って前記信号発信器によって前記換気装置をＯＦＦする無線信号を送信させることを特徴とする加熱調理器。
【請求項２】
前記ガスバーナの燃焼炎を検出する熱電対を備え、前記制御手段は、前記熱電対の起電力を監視して、前記安全弁への通電の停止によって前記起電力が所定値より低下したら前記信号発信器によって前記換気装置をＯＦＦする無線信号を送信させることを特徴とする請求項１に記載の加熱調理器。
【請求項３】
ガスバーナと、そのガスバーナへのガス供給路に設けられ、前記ガスバーナの燃焼炎を検出する熱電対と、外部の換気装置をＯＮ／ＯＦＦするための無線信号を送信可能な信号発信器と、前記信号発信器による無線信号の送信を制御する制御手段とを備えた加熱調理器であって、
前記制御手段は、前記熱電対の起電力を監視して、前記起電力が所定値以上に達したら前記信号発信器によって前記換気装置をＯＮする無線信号を送信させる一方、前記起電力が前記所定値より低下したら前記信号発信器によって前記換気装置をＯＦＦする無線信号を送信させることを特徴とする加熱調理器。
【発明の詳細な説明】
【技術分野】
【０００１】
本発明は、外部の換気装置を連動運転させるビルトインコンロ等の加熱調理器に関する。
【背景技術】
【０００２】
ビルトインコンロ等の加熱調理器においては、器体に無線信号を送信可能な信号発信器を設ける一方、その上方に設置された外部の換気装置に信号受信器を設けて、加熱調理器の運転と運転停止とに連動して換気装置を自動運転させるようにしたものが知られている。特に特許文献１には、器体内で操作ボタンの上部に送信窓を設けてその内部に赤外線発光素子を前向きに設け、制御回路が操作ボタンの押し操作による調理開始又は調理終了を検出すると、制御回路が赤外線発光素子から赤外線信号を照射させることで、操作ボタンを操作する手に赤外線信号を反射させて上方の換気装置へ赤外線信号を送信するようにした発明が記載されている。
【先行技術文献】
【特許文献】
【０００３】
【特許文献１】特許第４０３２７５９号公報
【発明の概要】
【発明が解決しようとする課題】
【０００４】
しかし、特許文献１に記載の発明は、換気装置を連動させる赤外線信号の照射のタイミングを、ユーザによる操作ボタンの押し操作としているので、例えばタイマー調理を行った際、タイムアップして調理が自動的に終了しても、ユーザがこれに気づかずにいると換気装置は運転したままとなって無駄な電力消費が生じてしまう。これは、調理中にバーナに立ち消えが生じたり、回路異常が生じたりして安全機能が作動して安全弁が閉弁し、調理が自動的に終了した場合でも起こり得る。
【０００５】
そこで、本発明は、タイマー調理や安全機能の実行等による自動的な調理終了によっても換気装置を連動して停止させることができ、消し忘れを防止できて電力の節約にも繋がる加熱調理器を提供することを目的としたものである。
【課題を解決するための手段】
【０００６】
上記目的を達成するために、請求項１に記載の発明は、ガスバーナと、そのガスバーナへのガス供給路に設けられ、通電によって開弁保持される安全弁と、外部の換気装置をＯＮ／ＯＦＦするための無線信号を送信可能な信号発信器と、安全弁への通電及び信号発信器による無線信号の送信を制御する制御手段とを備えた加熱調理器であって、制御手段は、安全弁への通電の開始に伴って信号発信器によって換気装置をＯＮする無線信号を送信させる一方、安全弁への通電の停止に伴って信号発信器によって換気装置をＯＦＦする無線信号を送信させることを特徴とするものである。
請求項２に記載の発明は、請求項１の構成において、ガスバーナの燃焼炎を検出する熱電対を備え、制御手段は、熱電対の起電力を監視して、安全弁への通電の停止によって起電力が所定値より低下したら信号発信器によって換気装置をＯＦＦする無線信号を送信させることを特徴とするものである。
上記目的を達成するために、請求項３に記載の発明は、ガスバーナと、そのガスバーナへのガス供給路に設けられ、ガスバーナの燃焼炎を検出する熱電対と、外部の換気装置をＯＮ／ＯＦＦするための無線信号を送信可能な信号発信器と、信号発信器による無線信号の送信を制御する制御手段とを備えた加熱調理器であって、制御手段は、熱電対の起電力を監視して、起電力が所定値以上に達したら信号発信器によって換気装置をＯＮする無線信号を送信させる一方、起電力が所定値より低下したら信号発信器によって換気装置をＯＦＦする無線信号を送信させることを特徴とするものである。
【発明の効果】
【０００７】
本発明によれば、操作ボタンの押し操作でなく、安全弁への通電及びその停止、或いは熱電対の起電力の上昇及び低下に合わせて換気装置の連動を図っているので、タイマー調理や安全機能の実行等による自動的な調理終了によっても換気装置を連動して停止させることができる。よって、換気装置の消し忘れが防止できて使い勝手が良好となる上、電力の節約にも繋がる。
請求項２に記載の発明によれば、上記効果に加えて、ガスバーナが確実に消火するまで換気装置を運転させることができる。
【図面の簡単な説明】
【０００８】
【図１】形態１のビルトインコンロの斜視図である。
【図２】形態１のビルトインコンロの平面図である。
【図３】形態１のビルトインコンロの正面図である。
【図４】形態１のガス供給構造の概略図である。
【図５】形態１のビルトインコンロ及び換気装置の側面説明図である。
【図６】形態１のビルトインコンロ及び換気装置の作動フローチャートである。
【図７】形態２のビルトインコンロ及び換気装置の作動フローチャートである。
【発明を実施するための形態】
【０００９】
以下、本発明の実施の形態を図面に基づいて説明する。
［形態１］
図１は、加熱調理器の一例であるビルトインコンロ１の斜視図で、ビルトインコンロ１は、器体２の上端に、上面に３つのコンロ部４〜６を備えたトッププレート３を取り付けてなり、器体２の内部中央には、前面に扉７を備えたグリル８が設けられている。
また、器体２の前面には、各コンロ部４〜６及びグリル８に対応した操作ボタン９〜１２と、その操作ボタン９〜１２の上方に配置される火力調整レバー１４〜１７とがそれぞれ設けられている。１３はグリル８の排気口である。
さらに、器体２の前面で左右の最外に位置する操作ボタン９，１２のそれぞれの外側には、図２，３にも示すように、突出部１８，１８が隣接して設けられている。この突出部１８は、器体２の前面から前方へ突出して、前端が隣接する操作ボタン９，１２の前端と面一となる形状に形成されている。そして、各突出部１８の下面には、赤外線信号を発信可能な信号発信器としての赤外線ＬＥＤ１９が下向きに設置されている。
【００１０】
図４は、各コンロ部４〜６及びグリル８におけるガス供給構造の概略図で、ガスバーナ２０へのガス配管２１には、上流側から、操作ボタン９〜１２の点火操作によって開弁し、燃焼時にのみ開弁保持される安全弁２２と、同じく操作ボタン９〜１２の点消火操作によって開閉する主弁２３と、火力調整レバー１４〜１７の操作によってガス量を調整するガス量調整弁２４とがそれぞれ設けられている。一方、ガスバーナ２０には、イグナイタ２５の作動によって燃料ガスに点火する点火電極２６と、燃焼炎を検出する熱電対２７とが設けられて、安全弁２２、イグナイタ２５、熱電対２７は制御手段としてのコントローラ３０にそれぞれ電気的接続されている。また、コンロ部４〜６における各ガスバーナ２０の中央には、調理容器の底面温度を検出するサーミスタ２８が設けられて、コントローラ３０に電気的接続されている。さらに、コントローラ３０には、赤外線ＬＥＤ１９及び、操作ボタン９〜１２の押し操作によってＯＮ／ＯＦＦするマイクロスイッチ２９がそれぞれ電気的接続されている。
【００１１】
コントローラ３０は、周知のマイコンやメモリの他、安全弁２２への通電を制御する安全弁駆動回路やイグナイタ２５を作動させるイグナイタ回路、熱電対２７の起電力を入力する起電力入力回路、サーミスタ２８からの電気抵抗を入力するサーミスタ入力回路、赤外線ＬＥＤ１９を点消灯させるＬＥＤ駆動回路等を備えて、操作ボタン９〜１２の操作による各ガスバーナ２０の点消火制御の他、ガスバーナ２０の燃焼炎を熱電対２７で監視して、立ち消えが生じた場合には安全弁２２への通電を停止してガスバーナ２０を自動消火させる立ち消え安全機能、調理容器の底面温度をサーミスタ２８で監視して、設定温度以上の過熱が生じた場合には安全弁２２への通電を停止してガスバーナ２０を自動消火させる過熱防止機能、設定時間の経過で安全弁２２への通電を停止してガスバーナ２０を自動消火させるタイマー調理機能、連続使用時間の経過で安全弁２２への通電を停止してガスバーナ２０を自動消火させる消し忘れ防止機能等を実行可能となっている。
【００１２】
一方、図５において、３１は、ビルトインコンロ１の上方に設置された換気装置で、回転する換気扇やその駆動部等を有するレンジフード３２を備えてなる。レンジフード３２の前面には、赤外線信号を受信するための赤外線受信センサ３３が設けられている。この赤外線受信センサ３３は、図示しない換気コントローラに電気的接続されており、ビルトインコンロ１の赤外線ＬＥＤ１９から発信される赤外線信号を赤外線受信センサ３３により受信すると、換気コントローラは、赤外線信号を読み取って換気扇をＯＮ／ＯＦＦ動作させるようになっている。
【００１３】
以上の如く構成されたビルトインコンロ１及び換気装置３１の動作を、図６のフローチャートに基づいて説明する。
まず、Ｓ１で操作ボタン９〜１２の何れかが押し操作されると、Ｓ２で、そのガスバーナ２０のガス配管２１の安全弁２２と主弁２３とが開弁し、ガスバーナ２０へ燃料ガスが供給される。次に、Ｓ３で、マイクロスイッチ２９のＯＮ信号を得たコントローラ３０がイグナイタ２５を作動させて点火電極２６を連続放電させ、ガスバーナ２０に点火すると共に、安全弁２２への通電を開始する。これと同時に赤外線ＬＥＤ１９から所定の間隔で複数回、換気装置３１を運転させる赤外線信号（ＯＮ信号）を発信させる。このとき、赤外線信号は突出部１８から下向きに発信されるため、一部が床面に反射して図５の二点鎖線に示すような経路をたどって赤外線受信センサ３３へ到達し、換気装置３１を運転させる。
【００１４】
Ｓ４の判別で、ガスバーナ２０の燃焼炎によって得られる熱電対２７の起電力が所定値以上に達すると、コントローラ３０は、Ｓ５で、安全弁２２への通電を継続して開弁状態を保持させる。なお、Ｓ４の判別で起電力が所定値に達しなければ、点火エラーが生じたとしてＳ６で安全弁２２への通電を停止して閉弁させる。次に、Ｓ７の判別で、他のガスバーナ２０が燃焼中か否か、すなわち、他のコンロ部４〜６又はグリル８において安全弁２２が開弁保持されているか否かが確認される。ここで燃焼中であれば、Ｓ９へ移行して他のコンロ部４〜６又はグリル８の監視を行うが、他に燃焼中のガスバーナ２０がなければ、Ｓ８で、赤外線ＬＥＤ１９から所定の間隔で複数回、換気装置３１の運転を停止させる赤外線信号（ＯＦＦ信号）を発信させて換気装置３１の運転を停止させる。このときも点火時と同様に赤外線信号は一部が床面に反射して赤外線受信センサ３３へ到達し、換気装置３１の運転を停止させることになる。
このように、ここでは点火エラーが生じた際にも換気装置３１が運転することで、燃焼せずに放出されたガスが滞留することなく換気される。
【００１５】
一方、ガスバーナ２０の燃焼中、コントローラ３０は、燃焼中のコンロ部４〜６又はグリル８において前述した各機能を実行する所定の条件の検出に伴って安全弁２２への通電を停止して閉弁させることでガスバーナ２０を自動消火させる。この所定の条件は、立ち消え安全機能では熱電対２７の起電力の所定値からの低下、過熱防止機能ではサーミスタ２８の電気抵抗の設定値への到達、タイマー調理機能ではタイマーのタイムアップ、消し忘れ防止機能では予め設定された連続使用時間のタイムアップであり、さらには回路異常の検出も所定の条件に含まれている。
【００１６】
よって、Ｓ９の判別で自動消火させる所定の条件が確認されると、コントローラ３０は、Ｓ１０で該当するガスバーナ２０の安全弁２２への通電を停止する。次に、Ｓ１１で、熱電対２７の起電力が所定値より低下したか否かを判別する。ここで起電力の低下を確認したら、Ｓ１２で、他のガスバーナ２０が燃焼中か否かを確認する。ここで燃焼中であれば、Ｓ９へ戻って監視を続けるが、他に燃焼中のガスバーナ２０がなければ、Ｓ１３で、赤外線ＬＥＤ１９から所定の間隔で複数回、換気装置３１の運転を停止させる赤外線信号（ＯＦＦ信号）を発信させて換気装置３１の運転を停止させる。
【００１７】
そして、Ｓ１４で、燃焼中のコンロ部４〜６又はグリル８に対応する操作ボタン９〜１２が押し操作されると、Ｓ１５で、そのガスバーナ２０での主弁２３が閉弁し、ガスバーナ２０への燃料ガスの供給が停止される。次に、マイクロスイッチ２９のＯＦＦ信号を得たコントローラ３０は、Ｓ１６で、安全弁２２への通電を停止して閉弁させて、Ｓ１７で、他のガスバーナ２０が燃焼中か否かを確認する。ここで燃焼中であれば、Ｓ９へ戻って監視を続けるが、他に燃焼中のガスバーナ２０がなければ、コントローラ３０は、Ｓ１８で、赤外線ＬＥＤ１９から所定の間隔で複数回、換気装置３１の運転を停止させる赤外線信号（ＯＦＦ信号）を発信させて換気装置３１の運転を停止させる。
【００１８】
このように、上記形態１のビルトインコンロ１によれば、コントローラ３０は、安全弁２２への通電の開始に伴って赤外線ＬＥＤ１９によって換気装置３１のＯＮ信号を送信させる一方、安全弁２２への通電の停止に伴って赤外線ＬＥＤ１９によって換気装置３１のＯＦＦ信号を送信させることで、操作ボタン９〜１２の押し操作でなく、安全弁２２への通電とその停止とに合わせて換気装置３１の連動を図っているので、タイマー調理や安全機能の実行等による自動的な調理終了によっても換気装置３１を連動して停止させることができる。よって、換気装置３１の消し忘れが防止できて使い勝手が良好となる上、電力の節約にも繋がる。
【００１９】
特にここでは、ガスバーナ２０の燃焼炎を検出する熱電対２７を備え、コントローラ３０は、熱電対２７の起電力を監視して、安全弁２２への通電の停止によって起電力が所定値より低下したら赤外線ＬＥＤ１９によって換気装置３１をＯＦＦする無線信号を送信させるようにしているので、ガスバーナ２０が確実に消火するまで換気装置３１を運転させることができる。
【００２０】
［形態２］
次に、本発明の他の形態を説明する。但し、ビルトインコンロ１や換気装置３１の構成は形態１と同じで、コントローラ３０による作動制御のみが異なるため、重複する説明は省略して当該作動制御を図７のフローチャートに基づいて説明する。
まず、Ｓ２１で操作ボタン９〜１２の何れかが押し操作されると、Ｓ２２で、そのガスバーナ２０のガス配管２１の安全弁２２と主弁２３とが開弁し、ガスバーナ２０へ燃料ガスが供給される。次に、Ｓ２３で、マイクロスイッチ２９のＯＮ信号を得たコントローラ３０がイグナイタ２５を作動させて点火電極２６を連続放電させ、ガスバーナ２０に点火すると共に、安全弁２２への通電を開始する。
【００２１】
次に、Ｓ２４の判別で、ガスバーナ２０の燃焼炎によって得られる熱電対２７の起電力が所定値以上に達すると、コントローラ３０は、Ｓ２５で、安全弁２２への通電を継続して開弁状態を保持させる。これと同時にコントローラ３０は、赤外線ＬＥＤ１９から所定の間隔で複数回、換気装置３１を運転させる赤外線信号（ＯＮ信号）を発信させる。なお、Ｓ２４の判別で起電力が所定値に達しなければ、点火エラーが生じたとしてＳ２６で安全弁２２への通電を停止して閉弁させる。
【００２２】
一方、Ｓ２７の判別で自動消火させる所定の条件が確認されると、コントローラ３０は、Ｓ２８で該当するガスバーナ２０の安全弁２２への通電を停止する。次に、Ｓ２９で、熱電対２７の起電力が所定値より低下したか否かを判別する。ここで起電力の低下を確認したら、Ｓ３０で、他のガスバーナ２０が燃焼中か否かを確認する。ここで燃焼中であれば、Ｓ２７へ戻って監視を続けるが、他に燃焼中のガスバーナ２０がなければ、Ｓ３１で、赤外線ＬＥＤ１９から所定の間隔で複数回、換気装置３１の運転を停止させる赤外線信号（ＯＦＦ信号）を発信させて換気装置３１の運転を停止させる。
【００２３】
そして、Ｓ３２で、燃焼中のコンロ部４〜６又はグリル８に対応する操作ボタン９〜１２が押し操作されると、Ｓ３３で、そのガスバーナ２０での主弁２３が閉弁し、ガスバーナ２０への燃料ガスの供給が停止される。次に、マイクロスイッチ２９のＯＦＦ信号を得たコントローラ３０は、Ｓ３４で、安全弁２２への通電を停止して閉弁させ、Ｓ３５で、熱電対２７の起電力が所定値より低下したか否かを判別する。ここで起電力の低下を確認したら、コントローラ３０は、Ｓ３６で、他のガスバーナ２０が燃焼中か否かを確認する。ここで燃焼中であれば、Ｓ２７へ戻って監視を続けるが、他に燃焼中のガスバーナ２０がなければ、Ｓ３７で、赤外線ＬＥＤ１９から所定の間隔で複数回、換気装置３１の運転を停止させる赤外線信号（ＯＦＦ信号）を発信させて換気装置３１の運転を停止させる。
【００２４】
このように、上記形態２のビルトインコンロ１によれば、操作ボタン９〜１２の押し操作でなく、熱電対２７の起電力の上昇及び低下に合わせて換気装置３１の連動を図っているので、タイマー調理や安全機能の実行等による自動的な調理終了によっても換気装置３１を連動して停止させることができる。よって、換気装置３１の消し忘れが防止できて使い勝手が良好となる上、電力の節約にも繋がる。特にここでは、熱電対２７の起電力の変動を換気装置３１の運転及び運転停止の契機としているので、実際の燃焼炎の有無に合わせて換気装置３１を確実に連動させることができる。
【００２５】
なお、上記形態１，２において、ビルトインコンロの構成は適宜変更可能で、コンロ部の数の増減やグリルの省略は可能である。赤外線ＬＥＤも、上向きに設けたり、器体の両側に加えて器体の後方にも設置したり等、数や位置は変更できる。但し、信号発信器としては赤外線ＬＥＤに限らず、電波やレーザー等の他の無線信号の発信器を採用することも可能である。
また、上記形態１，２では、コントローラは、安全弁への通電停止や起電力の低下検出と同時に換気装置の運転を停止させるＯＦＦ信号を発信させるようにしているが、これに限らず、安全弁への通電停止や起電力の低下検出から所定時間の経過を待ってから換気装置へのＯＦＦ信号を発信させる遅延機能を付与してもよい。このようにすれば燃焼ガスや煙等をより確実に換気することができる。
その他、本発明はビルトインコンロに限らず、テーブルコンロであっても差し支えないし、ガスバーナを備えたガスオーブン等の他の加熱調理器であっても適用可能である。
【符号の説明】
【００２６】
１・・ビルトインコンロ、２・・器体、３・・トッププレート、４〜６・・コンロ部、８・・グリル、９〜１２・・操作ボタン、１４〜１７・・火力調整レバー、１８・・突出部、１９・・赤外線ＬＥＤ、２０・・ガスバーナ、２１・・ガス配管、２２・・安全弁、２３・・主弁、２４・・ガス量調整弁、２５・・イグナイタ、２７・・熱電対、２８・・サーミスタ、２９・・マイクロスイッチ、３０・・コントローラ、３１・・換気装置、３２・・レンジフード、３３・・赤外線受信センサ。
【図１】
2013053777.tif 000003
【図２】
2013053777.tif 000004
【図３】
2013053777.tif 000005
【図４】
2013053777.tif 000006
【図５】
2013053777.tif 000007
【図６】
2013053777.tif 000008
【図７】
2013053777.tif 000009